(57)【要約】【課題】本発明は、補強ワイヤに捻り応力が発生するのを抑制し、補強ワイヤの長寿命化を図ることができるエレベータの制御ケーブル装置を得ることを目的とするものである。【解決手段】カラー６とフレーム１との間には、ばね８が設けられている。補強ワイヤ４，５の制御ケーブル本体３から引き出された部分には、ストッパ１２，１３が取り付けられている。フレーム１には、第１及び第２のストッパ１２，１３の上方への変位を規制する平板状の上昇防止具１４が一対の連結部材１５を介して固定されている。上昇防止具１４は、上下方向についてワイヤクリップ９と第１及び第２のストッパ１２，１３との間に配置されている。【選択図】図１
2008137772.tif 000002
【特許請求の範囲】
【請求項１】
制御ケーブル本体と、上記制御ケーブル本体の長手方向に沿って設けられているとともに、上記制御ケーブル本体の端部から引き出されている第１及び第２の補強ワイヤとを有する制御ケーブル、
上記第１の補強ワイヤの上記制御ケーブル本体から引き出された部分が巻き掛けられるカラー、
上記第１の補強ワイヤの端部と上記第２の補強ワイヤの端部とを締結する締結具、
上記制御ケーブルの荷重を支持する支持部と上記カラーとの間に設けられるばね、
上記第１及び第２の補強ワイヤの上記制御ケーブル本体から引き出された部分に取り付けられるストッパ、及び
上記支持部に設けられ、上記ストッパの上方への変位を規制する上昇防止具
を備えていることを特徴とするエレベータの制御ケーブル装置。
【請求項２】
上記ストッパ及び上記上昇防止具は、上記締結具よりも下方に配置されていることを特徴とする請求項１記載のエレベータの制御ケーブル装置。
【発明の詳細な説明】
【技術分野】
【０００１】
この発明は、第１及び第２の補強ワイヤにより補強された制御ケーブルを有するエレベータの制御ケーブル装置に関するものである。
【背景技術】
【０００２】
従来のエレベータの制御ケーブル装置では、第１の補強ワイヤの端部が、第１及び第２の補強ワイヤの間隔よりも大きい直径のカラーに巻き掛けられている。そして、第１の補強ワイヤの端部と第２の補強ワイヤの端部とが、複数のワイヤクリップにより締結されている。また、第１及び第２の補強ワイヤ間には、補強ワイヤが捻れるのを防止するための複数の回転防止治具が取り付けられている（例えば、特許文献１参照）。
【０００３】
【特許文献１】特開平９−１３２３６６号公報
【発明の開示】
【発明が解決しようとする課題】
【０００４】
上記のような従来の制御ケーブル装置では、かごの移動により制御ケーブルの張力が変化すると、撚り線である補強ワイヤには、その長手方向を軸として回転しようとする力が発生する。例えば、昇降行程が２００ｍを超すような超高層ビルのエレベータでは、かご位置による制御ケーブルの吊り重量の差が大きくなるので、補強ワイヤに大きな捻り応力が繰り返し発生するとともに、補強ワイヤとそれが接触する部材との間に摩擦が繰り返し発生する。従って、補強ワイヤの寿命が短くなり、制御ケーブルの保守のためのコストが高くなってしまう。
【０００５】
この発明は、上記のような課題を解決するためになされたものであり、補強ワイヤに捻り応力が発生するのを抑制し、補強ワイヤの長寿命化を図ることができるエレベータの制御ケーブル装置を得ることを目的とする。
【課題を解決するための手段】
【０００６】
この発明に係るエレベータの制御ケーブル装置は、制御ケーブル本体と、制御ケーブル本体の長手方向に沿って設けられているとともに、制御ケーブル本体の端部から引き出されている第１及び第２の補強ワイヤとを有する制御ケーブル、第１の補強ワイヤの制御ケーブル本体から引き出された部分が巻き掛けられるカラー、第１の補強ワイヤの端部と第２の補強ワイヤの端部とを締結する締結具、制御ケーブルの荷重を支持する支持部とカラーとの間に設けられるばね、第１及び第２の補強ワイヤの制御ケーブル本体から引き出された部分に取り付けられるストッパ、及び支持部に設けられ、ストッパの上方への変位を規制する上昇防止具を備えている。
【発明の効果】
【０００７】
この発明のエレベータの制御ケーブル装置は、カラーと支持部との間にばねを設け、第１及び第２の補強ワイヤの制御ケーブル本体から引き出された部分にストッパを取り付け、ストッパの上方への変位を規制する上昇防止具を支持部に設けたので、かご位置による制御ケーブルの吊り重量の差が大きい場合でも、第１及び第２の補強ワイヤの制御ケーブル本体から引き出された部分に作用する張力の変化が小さくなり、補強ワイヤに捻り応力が発生するのが抑制され、補強ワイヤの長寿命化を図ることができる。
【発明を実施するための最良の形態】
【０００８】
以下、この発明を実施するための最良の形態について、図面を参照して説明する。
実施の形態１．
図１はこの発明の実施の形態１によるエレベータの制御ケーブル装置の要部を示す正面図、図２は図１の制御ケーブルの吊り荷重が小さくなった状態を示す正面図である。
図において、かご床の下部には、支持部であるフレーム１がそれぞれ設けられている。フレーム１は、図示はしないが、昇降路内の固定部（昇降路壁又はガイドレール等）にも設けられている。制御ケーブル２の両端部は、これらのフレーム１に接続されている。即ち、制御ケーブル２は、かごと昇降路内の固定部との間に吊り下げられており、制御ケーブル２の荷重は、フレーム１により支持されている。
【０００９】
制御ケーブル２は、制御ケーブル本体３と、制御ケーブル本体３の長手方向に沿って設けられた撚り線からなる第１及び第２の補強ワイヤ４，５とを有している。制御ケーブル本体３は、電力線、複数の信号線、及び被覆材を有している。第１及び第２の補強ワイヤ４，５は、中間部が制御ケーブル本体３に埋設され、両端部が制御ケーブル本体３から引き出されている。
【００１０】
第１の補強ワイヤ４の制御ケーブル本体３から引き出された部分は、カラー６の外周部に巻き掛けられている。カラー６の径は、制御ケーブル本体３における第１及び第２の補強ワイヤ４，５間の間隔よりも大きい。
【００１１】
カラー６の中心には、軸７が設けられている。フレーム１には、ばね支持部１ａが設けられている。軸７とばね支持部１ａとの間には、ばね８が設けられている。ばね８は、かご位置の変化による制御ケーブル２の吊り荷重の変動に伴って伸縮される。
【００１２】
第１の補強ワイヤ４の端部と第２の補強ワイヤ５の端部とは、締結具である複数のワイヤクリップ９により締結されている。図１及び図２では、第１及び第２の補強ワイヤ４，５の長手方向に互いに間隔をおいて８個のワイヤクリップ９が第１及び第２の補強ワイヤ４，５に取り付けられている。
【００１３】
軸７には、取付金１０を介してホルダ１１が取り付けられている。ホルダ１１は、カラー６の下方に配置され、カラー６の両側の第１の補強ワイヤ４の間隔を、制御ケーブル本体３における第１及び第２の補強ワイヤ４，５間の間隔と同等に絞る。
【００１４】
第１の補強ワイヤ４の制御ケーブル本体３から引き出された部分には、第１のストッパ１２が取り付けられている。第２の補強ワイヤ５の制御ケーブル本体３から引き出された部分には、第２のストッパ１３が取り付けられている。第１及び第２のストッパ１２，１３は、ワイヤクリップ９の取付位置よりも下方で、第１及び第２の補強ワイヤ４，５の制御ケーブル本体３からの引出部近傍に取り付けられている。また、第１及び第２のストッパ１２，１３は、上下方向の同じ位置に配置されている。さらに、この例では、第１及び第２のストッパ１２，１３として、ワイヤクリップ９と同様のワイヤクリップが用いられている。
【００１５】
フレーム１には、第１及び第２のストッパ１２，１３の上方への変位を規制する平板状の上昇防止具１４が一対の連結部材１５を介して固定されている。上昇防止具１４は、上下方向についてワイヤクリップ９と第１及び第２のストッパ１２，１３との間に配置されている。上昇防止具１４には、第１及び第２の補強ワイヤ４，５が貫通する第１及び第２の貫通孔１４ａ，１４ｂが設けられている。図２に示すように、貫通孔１４ａ，１４ｂの周縁部（上昇防止具１４の下面）にストッパ１２，１３が当接することにより、ストッパ１２，１３の上昇が規制される。
【００１６】
次に、動作について説明する。図１及び図２に示すフレーム１がかごに固定されている場合、かごが下降すると制御ケーブル２の吊り荷重が小さくなり、かごが上昇すると制御ケーブル２の吊り荷重が大きくなる。逆に、昇降路内の固定部側のフレーム１では、かごが下降すると制御ケーブル２の吊り荷重が大きくなり、かごが上昇すると制御ケーブル２の吊り荷重が小さくなる。
【００１７】
制御ケーブル２の吊り荷重が大きくなると、ストッパ１２，１３が上昇防止具１４から開離する方向へ補強ワイヤ４，５が引っ張られ、カラー６が下方へ変位されるとともに、ばね８が圧縮される。従って、かごの変位による補強ワイヤ４，５の張力増加分は、ばね８の押圧力により打ち消される。
【００１８】
制御ケーブル２の吊り荷重が小さくなると、ばね８によりカラー６が上方へ変位され、図２に示すように、ストッパ１２，１３が上昇防止具１４に当接する。ストッパ１２，１３が上昇防止具１４に当接した後は、制御ケーブル２の吊り荷重が小さくなっても、補強ワイヤ４，５の張力は変化しない。
【００１９】
このような制御ケーブル装置によれば、カラー６とフレーム１との間にばね８を設け、補強ワイヤ４，５の制御ケーブル本体３から引き出された部分にストッパ１２，１３を取り付け、ストッパ１２，１３の上方への変位を規制する上昇防止具１４をフレーム１に設けたので、かご位置による制御ケーブル２の吊り重量の差が大きい場合でも、補強ワイヤ４，５の制御ケーブル本体３から引き出された部分に作用する張力の変化が小さくなり、補強ワイヤ４，５に捻り応力が発生するのが抑制され、補強ワイヤ４，５の長寿命化を図ることができる。
【００２０】
また、ストッパ１２，１３及び上昇防止具１４をワイヤクリップ９よりも下方に配置したので、補強ワイヤ４，５の繋ぎ部での張力変化をより確実に防止することができ、補強ワイヤ４，５の長寿命化を図ることができる。
【００２１】
なお、上記の例では、ワイヤクリップ９の下方にストッパ１２，１３及び上昇防止具１４を配置したが、他の位置に配置してもよい。例えば、カラー６とホルダ１１との間に配置することにより、カラー６と補強ワイヤ４との摩擦を低減できる。また、ホルダ１１とワイヤクリップ９との間に配置することにより、ホルダ１１と補強ワイヤ４との摩擦も低減できる。
また、上記の例では、第１及び第２のストッパ１２，１３を用いたが、共通のストッパを第１及び第２の補強ワイヤ４，５に取り付けてもよい。
さらに、締結具及びストッパはワイヤクリップに限定されるものではない。
さらにまた、この発明は、制御ケーブルのかご側の接続部にも昇降路側の接続部にも適用できる。
【図面の簡単な説明】
【００２２】
【図１】この発明の実施の形態１によるエレベータの制御ケーブル装置の要部を示す正面図である。
【図２】図１の制御ケーブルの吊り荷重が小さくなった状態を示す正面図である。
【符号の説明】
【００２３】
１  フレーム（支持部）、２  制御ケーブル、３  制御ケーブル本体、４  第１の補強ワイヤ、５  第２の補強ワイヤ、６  カラー、８  ばね、９  ワイヤクリップ（締結具）、１２  第１のストッパ、１３  第２のストッパ、１４  上昇防止具。
【図１】
2008137772.tif 000003
【図２】
2008137772.tif 000004